【事件の表示】
　特願２００１−５４３００３「双方向テレビシステム上で高度化したセットトップアプリケーションを用いる機能」拒絶査定不服審判事件〔平成１３年　６月１４日国際公開、ＷＯ０１／４３４２４、平成１５年　５月１３日国内公表、特表２００３−５１６６７５〕について、次のとおり審決する。
【結　論】
　本件審判の請求は、成り立たない。
【理　由】
１．手続きの経緯、本願発明
　本願は、平成１２年１２月８日（パリ条約による優先権主張１９９９年１２月１０日、２０００年５月１日、米国）を国際出願日とする出願であって、その特許請求の範囲の請求項１ないし１０に係る各発明は、平成２３年１２月１２日付け手続補正書により補正された明細書および図面の記載からみて、請求項１ないし１０にそれぞれ記載されたとおりのものであると認められるところ、請求項７に係る発明は次のとおりのものである。
「双方向テレビ番組ガイドシステムにおいて複数のデータリソースに関連付けられた機能を提供する方法であって、双方向テレビ番組ガイドは、少なくとも部分的にユーザテレビ機器上で実現され、少なくとも部分的に該ユーザテレビ機器上で実行する少なくとも一つの被サポートアプリケーションをサポートし、該複数のデータリソースは、ユーザによって選択され、
　該方法は、
　該双方向テレビ番組ガイドが、第一のメディア種類を有する第一のデータリソースおよび第二のメディア種類を有する第二のデータリソースに対して複数のデータリソースの検索を実行するための指示を受信することであって、該第一のメディア種類と該第二のメディア種類とは異なる、ことと、
　該双方向テレビ番組ガイドが、ユーザ検索基準を受信することと、
　該双方向テレビ番組ガイドが、該検索基準に従って該第一のデータリソースおよび該第二のデータリソースを検索することと、
　該双方向テレビ番組ガイドが、検索の結果を提供することと
　を包含する、方法。」
　
２．引用例
　ア．引用例１の記載事項
　前置審査における拒絶の理由で引用した特開平１１−２６１９０８号公報（以下「引用例１」という。）には、次のとおりの記載がなされている。
　
（ａ）【従来の技術】
　従来、放送受信装置等において、特開平９−１４６９６４や特開平７−１６２７７６にあるように、番組情報等を検索する場合、ＣＤ−ＲＯＭ、放送波による番組付加情報など、各単一メディア毎の個別検索がある。
　しかし、近年では多くのメディアが出現している。メディアとしては、方式の異なる各種放送メディア、あるいは情報メディア、記憶媒体などがある。ユーザが好みの番組あるいは情報を得ようとすれば各メディア毎に番組情報等の選択処理の必要がある。
　【発明が解決しようとする課題】
　上記したように、近年は多数のメディアが出現しているが、個々のメディアに関して、番組検索、情報選別などをユーザが行ったのでは、きわめて不便であるし、また時間もかかることになる。
　そこでこの発明は、複数のメディアに渡ってシームレスに番組及び又は情報関連情報を検索し、これら複数メディアの関連情報を参照整理し、統合できるような番組及び又は情報選択支援装置を提供することを目的とするものである。（段落【０００２】ないし【０００５】）
　
（ｂ）図１は、本発明の一実施の形態に係るテレビジョン選局装置の全体構成を示すブロック図である。図１には、各種のメディアとして、電波を信号伝送媒体とする放送局１１、ケーブルを信号伝送媒体とする放送局１２、電話回線を信号伝送媒体とするＩＳＰ（インターネット・サービス・プロバイダ）１３，家庭内のバスを信号伝送媒体とするデジタルビデオディスク（ＤＶＤ）機器１４を示している。
　放送局側からの番組を送り出す放送波には有線無線を問わず、番組の内容説明や番組関連情報がテキスト形式、ｈｔｍｌ（hyper text markup language）形式及びイメージ形式などの形態で多重化されて送られてきている。
　テレビジョン受信機１００は、受信チャンネルを選局するチューナ１０１と、番組をデコードしまた番組に多重化された番組情報を分離するデコード分離部１０２とを有する。デコード分離部１０２でデコードされた画像信号は、番組表示制御部１０３にて制御され、ディスプレイ（例えばＣＲＴ部）１０４に供給されて表示される。デコード分離部１０２で分離された番組情報は、検索結果の優先度を計算する番組評価部１０５に入力される。
　１１０は、視聴者の嗜好に基づいた検索キーワード、番組情報などのデータベースを記録するキーワード記憶部である。このキーワード記憶部１１０は、番組評価部１０５に接続されている。この番組評価部１０５の動作に関連して番組表示制御部１０３は、優先度の高い番組から視聴者に提示することができる。更に、テレビジョン受信機１００は、リモコン受光部１０６と、電話回線を通じてインターネット等に接続するためのＴＡ（ターミナルアダプター）又は変調復調（以下モデム）部１０７と、テレビに接続されている外部機器を制御するための家庭バスコントロール部１０８とを含んで構成されている。（段落【００１１】ないし【００１４】）
　
（ｃ）そこで本発明においては、ユーザーの番組視聴履歴によって自動蓄積されたキーワード（関連情報）を利用して番組情報の検索を行なうようになっており、検索可能な複数メディアを自動判別する。そして各メディアに対してユーザの好みの番組または情報を検索する。また、ユーザの嗜好情報を学習し、ユーザーの見たいと思っている情報が含まれているコンテンツを自動的に抽出できるようにしている。
　これにより、ユーザがアクセス可能な放送番組や番組情報及び番組情報検索サービスのすべてについて、ユーザーから見れば統合された１つの番組情報ソースとして提供（各サービスの情報フォーマットやプロトコルに関係なく、ＥＰＧのテキスト中から抽出したキーワード列から評価）することができる。ユーザはサービスの違いを意識することなく、受信し、編成し、各サービスに渡って一元的に番組又は情報のガイドを得ることができる。（段落【００３０】、【００３１】）
　
（ｄ）次に、図４、図５、図６、図７、図８を参照してキーワード検索の例を説明する。また検索動作及び番組情報の評価値算出の最も単純な例を説明する。図４は、番組選択画面、いわゆる通常ＥＰＧ画面の説明である。
　まず、番組を選択するにあたって、ユーザーは、通常のＥＰＧを表示させるため、例えば、リモコン上の ＥＰＧ ボタンを押す。これにより図４に示すようなチャンネルと放映時間に対応付けられた通常の番組ガイドが表示される。
　この番組表を基にユーザーはリモコン上のカーソルボタンを操作し、所望の番組を決定ボタンで選択する。すると、図５に示すように、所望の番組が表示され、番組映像の他に、番組内容についての解説文やチャンネル名が表示される。
　ここでユーザーは表示された番組が気に入ればそのまま視聴すればよいし、気に入らない番組なら前記の番組表に戻って再び、所望の番組を繰り返し選択すればよい。
　この場合、ユーザーがある一定時間その番組を視聴し続けたなら、（この場合、すべての番組に対し単純な経過時間はもとより、当該番組の放映時間に対しての割合、すなわち番組全体の何パーセント視聴したかによって考慮しても良く、様々な設定が可能）その番組はユーザーの気に入った番組であると認識され、当該番組に関する関連情報が、キーワードとしてキーワード記憶部１１０に記憶蓄積される。（段落【００３８】ないし【００４２】）
　
（ｅ）図６は、連続ＥＰＧ画面の説明のための図である。次に、連続ＥＰＧ画面による検索は、本発明の特徴部でもある。この検索を開始するための操作について説明する。まず、番組検索しようとする視聴者が、前記の通常のＥＰＧ操作をしている時（もちろん、していない時でも構わない）に図５の画面上の連続ＥＰＧを選択するかあるいはリモコン上の連続ＥＰＧボタン（図１６参照）を押すことにより、連続ＥＰＧの検索モードが開始される。
　すると番組評価部１０５内の検索手段は、今までキーワード情報として自動的に貯えられていたユーザーの嗜好情報を活用し、例えば、図６に示すような好みの出演者上位数名の映像など、前回までの番組検索で最も良く視聴していた番組のキーワードに関連付けられた番組関連情報をデフォルトとして画面上に表示する。（ユーザーの嗜好データがまだ貯えられていない初期状態の場合、番組情報画面は特には何でもよい。）
　そして、ユーザーはこの情報選択画面である連続ＥＰＧ初期画面（この場合は人物編として分類してあるが、他にスポーツチーム名、食べ物、地名等嗜好を表す名詞なら何でもよい。また、分類はしなくてもよい。）上の候補より好みの「俳優Ｂ」を選択し、リモコン装置の決定（検索開始、選択）ボタンを押す。（図６においてリモコン操作により取得したキーワードは作業用のＲＡＭへ格納されている。）
　これより、リモコン装置からテレビジョン受信機へ検索開始ボタンが押されたことを示す信号が送られ、当発明による検索手段が番組情報の検索を開始する。
　この場合、「俳優Ｂ」の絵には例えば 俳優Ｂ というキーワードが対応付けられており、検索手段が 俳優Ｂ をキーワードとして、ＥＰＧ中より「俳優Ｂ」の出演している番組を検索し出す（具体的な方法としてはテキスト検索を用いる）。
　この場合も通常のＥＰＧ操作の時と同様、ユーザーが「俳優Ｂ」を好むという情報がテレビに蓄積され、次回の番組検索のための情報として役立てられる。同時に平行して、あるいは時分割により、Ｗｏｒｌｄ　Ｗｉｄｅ　Ｗｅｂ上の検索エンジンでも「俳優Ｂ」というキーワードでコンテンツを探し出す。（段落【００４４】ないし【００４７】）
　
（ｆ）次に、過去のユーザーの操作情報から割り出した最も好ましい番組を画面に表示する。もし、提示された番組をユーザーが視聴したなら、その視聴頻度、時間に応じた重み付けをキーワードに対して行なう。同様に視聴しなかったなら、その番組に関連するキーワードに負の重み付けをして学習する。
　それと同時に、ＣＲＴの画面には検索対象になっている放送メディアがアクセス中であることを示すためのに、アイコンが点滅する。また、検索アクセス中であることをを示すガイド画面を表示させてもよい（図７参照）。
　ＥＰＧ情報より好みのキーワードに該当する番組情報を取得（ピックアップ、リストアップ）し、優先度の高い番組情報を提示する。または、そのときの好みにより優先度の低い順からやランダム表示でも良い（図８参照）。図８は、検索優先度の高いメディアの順に番号を付している。また検索中のメディアの番号は丸で囲まれるようになっている。さらに検索対象外のメディアについては例えば色違いとされている。（段落【００５２】ないし【００５４】）
　
（ｇ）次にこれら検索の一連の動作をフローチャートを用いて説明する。図９は本実施の形態におけるテレビジョン選局装置の検索動作を説明するフローチャート図である。
　まず、ステップＳ１において、例えば図６のように画面上に好みの出演者の写真が並べられて表示されており、その中でユーザーが最も好みの出演者を選ぶ。そしてステップＳ２においてユーザーが検索開始ボタンを押すことにより、検索が開始される。
　次に、ステップＳ３で各放送サービスより提供される個々の番組情報のＥＰＧのテキスト中から、形態要素解析等の方法でキーワード候補を抽出する。ステップＳ４ではこのキーワード候補と上記ユーザー指定の好みのキーワードと照合を行なう。
　そして次のステップＳ５においてキーワードが合致したと認められた場合、ステップＳ６に進み、含まれる合致キーワード個数をカウントし、当該番組情報をその合致キーワードとその個数に対応付けて番組情報データベースに登録する。
　その後、ステップＳ７において評価関数で評価値を算出、これをもとに評価値の高い（初回はカウントの多い）順位にソートする。（初回はユーザ所望の順位とは限らないがとりあえずソートする）。そして、最後のステップＳ８において演算後の最も評価値の高い番組情報をユーザーに提示する。
　図１０には、好みの番組情報が表れにくくなった場合、あるいは新しくスタートした番組などを追加メニュとして加えたいような場合に用いられる番組情報再検索時の動作を示すフローチャートである。詳細は後で説明する。
　次に、検索結果を通知するための本発明の画面表示方法による表示例について説明する。図７は、またこのように番組を検索した結果の一例でもある。もちろん、メニュは、画面例に表示されている項目だけでなく、各々サービスからの項目をすべて包含した形で様々な項目を表示し得る。
　図７に示されるように、キーワードに該当した番組情報について、各放送メディア（例えば、ＣＡＴＶ、ＴＥＬ回線、放送波）がタイトル、開始時間、該当があればプログラム、および該当があれば費用とともに一覧にされる。これらの表示もここに説明した形態に限られることなく、様々な表示形態が可能である。（段落【００５５】ないし【００６２】）
　
（ｈ）上記検索の結果、番組情報の表示後、ユーザーは、当該番組を今すぐ見たいなら、例えば終了ボタンを押すことによりその時点で選択されている番組情報の番組がその時間に放映されていれば見ることができる。また、予約したい場合は予約ボタンを押し、その後終了するか、次の別の検索を行なえばよい。
　このとき、好みに応じて任意にその日の情報だけを表示するようにしたり、ある時間帯や月だけの、あるいはある放送局やメディアに限って、検索、表示させることも可能である。（段落【００７６】、【００７７】）
　
　イ．引用例１に記載された発明
（ア）テレビジョン選局装置
　上記記載（ａ）、（ｂ）によれば、引用例１には、複数のメディアに渡ってシームレスに番組及び情報関連情報を検索し、これら複数メディアの関連情報を参照整理し、統合できるような番組及び情報選択支援装置であるテレビジョン受信機１００が記載されている。
　
（イ）各種メディア
　上記記載（ｂ）によれば、引用例１のテレビジョン受信機１００は、各種のメディアとして、電波を信号伝送媒体とする放送局１１、ケーブルを信号伝送媒体とする放送局１２、電話回線を信号伝送媒体とするＩＳＰ（インターネット・サービス・プロバイダ）１３，家庭内のバスを信号伝送媒体とするデジタルビデオディスク（ＤＶＤ）機器１４からの各情報を受信するチューナ１０１、モデム１０７、家庭バスコントロール部１０８を備え、ディスプレイ１０４を備えている。
　
（ウ）キーワードを利用した番組情報の検索
　上記記載（ｃ）によれば、引用例１のテレビジョン受信機１００では、ユーザーの番組視聴履歴によって自動蓄積されたキーワードを利用して番組情報の検索を行なうようになっており、検索可能な複数メディアを自動判別し、各メディアに対してユーザの好みの番組または情報を検索することにより、ユーザがアクセス可能な放送番組や番組情報及び番組情報検索サービスのすべてについて、ユーザーから見れば統合された１つの番組情報ソースとして提供することができ、ユーザはサービスの違いを意識することなく、受信し、編成し、各サービスに渡って一元的に番組又は情報のガイドを得ることができることが記載されている。
　
（エ）番組選択、キーワード蓄積
　上記記載（ｄ）によれば、引用例１のテレビジョン受信機１００において、番組を選択するにあたって、ユーザーは、通常のＥＰＧを表示させるため、リモコン上の ＥＰＧ ボタンを押すと、チャンネルと放映時間に対応付けられた通常の番組ガイドが表示され、この番組表を基にユーザーはリモコン上のカーソルボタンを操作し、所望の番組を決定ボタンで選択すると、所望の番組が表示され、番組映像の他に、番組内容についての解説文やチャンネル名が表示され、ユーザーは表示された番組が気に入ればそのまま視聴すればよいし、気に入らない番組なら前記の番組表に戻って再び、所望の番組を繰り返し選択すること、また、ユーザーがある一定時間その番組を視聴し続けたなら、その番組はユーザーの気に入った番組であると認識され、当該番組に関する関連情報が、キーワードとしてキーワード記憶部１１０に記憶蓄積されることが記載されている。
　
（オ）番組検索
　上記記載（ｅ）によれば、引用例１のテレビジョン受信機１００において、番組検索しようとする視聴者が、前記の通常のＥＰＧ操作をしている時、画面上の連続ＥＰＧを選択するかあるいはリモコン上の連続ＥＰＧボタンを押すことにより、連続ＥＰＧの検索モードが開始され、番組評価部１０５内の検索手段は、今までキーワード情報として自動的に貯えられていたユーザーの嗜好情報を活用し、例えば、好みの出演者上位数名の映像など、前回までの番組検索で最も良く視聴していた番組のキーワードに関連付けられた番組関連情報をデフォルトとして画面上に表示し、そして、ユーザーはこの情報選択画面である連続ＥＰＧ初期画面上の候補より好みの「俳優Ｂ」を選択し、リモコン装置の決定ボタンを押すと、リモコン装置からテレビジョン受信機へ検索開始ボタンが押されたことを示す信号が送られ、検索手段が番組情報の検索を開始し、この場合、「俳優Ｂ」の絵には例えば 俳優Ｂ というキーワードが対応付けられており、検索手段が 俳優Ｂ をキーワードとして、ＥＰＧ中より「俳優Ｂ」の出演している番組を検索し出し、同時に平行して、あるいは時分割により、Ｗｏｒｌｄ　Ｗｉｄｅ　Ｗｅｂ上の検索エンジンでも“俳優Ｂ”というキーワードでコンテンツを探し出すことが記載されている。
　
（カ）検索結果の提示
　上記記載（ｆ）ないし（ｈ）によれば、引用例１のテレビジョン受信機１００において、好みのキーワードに該当する番組情報を取得（ピックアップ、リストアップ）し、優先度の高い番組情報を提示する。また、検索優先度の高いメディアの順に番号を付してメディアが表示され、検索中のメディアの番号は丸で囲まれるようになっており、検索対象外のメディアについては例えば色違いとされており、検索の結果、番組情報の表示後、ユーザーは、当該番組を今すぐ見たいなら、例えば終了ボタンを押すことによりその時点で選択されている番組情報の番組がその時間に放映されていれば見ることができ、また、予約したい場合は予約ボタンを押し、その後終了するか、次の別の検索を行うことが記載されている。
　
（キ）上記（ア）ないし（カ）によれば、引用例１に記載された発明（以下「引用発明」という。）として、以下のとおりのテレビジョン受信機１００における方法に係る発明を認定することができる。
　
「複数のメディアに渡ってシームレスに番組及び情報関連情報を検索し、これら複数メディアの関連情報を参照整理し、統合できるような番組及び情報選択支援装置であるテレビジョン受信機１００であって、ディスプレイ１０４と、各種のメディアとして、電波を信号伝送媒体とする放送局１１、ケーブルを信号伝送媒体とする放送局１２、電話回線を信号伝送媒体とするＩＳＰ（インターネット・サービス・プロバイダ）１３，家庭内のバスを信号伝送媒体とするデジタルビデオディスク（ＤＶＤ）機器１４からの各情報を受信するチューナ１０１、モデム１０７、家庭バスコントロール部１０８を備えたテレビジョン受信機１００において、
（１）番組を選択するにあたって、ユーザーは、通常のＥＰＧを表示させるため、リモコン上の ＥＰＧ ボタンを押すと、チャンネルと放映時間に対応付けられた通常の番組ガイドが表示され、この番組表を基にユーザーはリモコン上のカーソルボタンを操作し、所望の番組を決定ボタンで選択すると、所望の番組が表示され、番組映像の他に、番組内容についての解説文やチャンネル名が表示され、
ユーザーは表示された番組が気に入ればそのまま視聴し、気に入らない番組なら前記の番組表に戻って再び、所望の番組を繰り返し選択し、また、ユーザーがある一定時間その番組を視聴し続けたなら、その番組はユーザーの気に入った番組であると認識され、当該番組に関する関連情報が、キーワードとしてキーワード記憶部１１０に記憶蓄積され、
（２）また、番組検索しようとする視聴者が、前記の通常のＥＰＧ操作をしている時、画面上の連続ＥＰＧを選択するかあるいはリモコン上の連続ＥＰＧボタンを押すことにより、連続ＥＰＧの検索モードが開始され、番組評価部１０５内の検索手段は、今までキーワード情報として自動的に貯えられていたユーザーの嗜好情報を活用し、好みの出演者上位数名の映像など、前回までの番組検索で最も良く視聴していた番組のキーワードに関連付けられた番組関連情報をデフォルトとして画面上に表示し、そして、ユーザーはこの情報選択画面である連続ＥＰＧ初期画面上の候補より好みの「俳優Ｂ」を選択し、リモコン装置の決定ボタンを押すと、リモコン装置からテレビジョン受信機へ検索開始ボタンが押されたことを示す信号が送られ、検索手段が番組情報の検索を開始し、この場合、「俳優Ｂ」の絵には例えば 俳優Ｂ というキーワードが対応付けられており、検索手段が 俳優Ｂ をキーワードとして、ＥＰＧ中より「俳優Ｂ」の出演している番組を検索し出し、同時に平行して、あるいは時分割により、Ｗｏｒｌｄ　Ｗｉｄｅ　Ｗｅｂ上の検索エンジンでも“俳優Ｂ”というキーワードでコンテンツを探し出す等、複数のメディアに対してユーザの好みの番組または情報を検索し、
（３）さらに、好みのキーワードに該当する番組情報を取得（ピックアップ、リストアップ）し、優先度の高い番組情報を提示し、また、検索優先度の高いメディアの順に番号を付してメディアが表示され、検索中のメディアの番号は丸で囲まれるようになっており、検索対象外のメディアについては例えば色違いとされており、
　検索の結果、番組情報の表示後、ユーザーは、当該番組を今すぐ見たいなら、例えば終了ボタンを押すことによりその時点で選択されている番組情報の番組がその時間に放映されていれば見ることができ、また、予約したい場合は予約ボタンを押し、その後終了するか、次の別の検索を行うことを特徴とする、
テレビジョン受信機１００における方法。」
　
３．対比
　本願の請求項７に係る発明（以下「本願発明」という。）と引用発明とを対比すると、次のことが認められる。
　
（イ）双方向テレビ番組ガイドシステムにおいて複数のデータリソースに関連付けられた機能を提供する方法
　
　本願発明でいう「双方向テレビ番組ガイドシステム」とは、本願の明細書の双方向番組内容ガイドや双方向サービス機能に関する記載（例えば、段落【００５３】ないし【００５７】、【００６９】等）等を参酌すると、ユーザが、ユーザテレビ機器の表示ディバイスに表示されたテレビ番組ガイドと対話（テレビ番組ガイドの項目の選択、指示等）をしながら、テレビ番組ガイド中の選択されたテレビ番組に関連する情報を表示させたり、また、ユーザが、ユーザテレビ機器の表示ディバイスに表示された番組ガイド画面において特定の項目を選択し、外部の装置と双方向に情報のやりとりをしてサービスの提供を受けるようなものであると認められるところ、
引用発明は、テレビジョン受信機１００において、ユーザーがリモコン上の ＥＰＧ ボタンを押すと、チャンネルと放映時間に対応付けられた通常の番組ガイドが表示され、この番組表ガイドを基にユーザーはリモコン上のカーソルボタンを操作し、所望の番組を決定ボタンで選択すると、所望の番組映像と、番組内容についての解説文やチャンネル名が表示され、ユーザーは表示された番組が気に入らない番組なら前記の番組表ガイドに戻って再び、所望の番組を繰り返し選択し、番組を視聴するというのであるから、引用発明も、ユーザがテレビジョン受信機のディスプレイに表示されたテレビ番組ガイドと対話をしながら、テレビ番組ガイド中の選択されたテレビ番組及び番組に関連する情報を表示させるテレビ番組ガイドシステムといえ、本願発明と引用発明とは、ともに、「テレビ番組ガイドシステム」に係るものであるといえる。
　もっとも、テレビ番組ガイドシステムが、本願発明では、ユーザが、ユーザテレビ機器の表示ディバイスに表示された番組ガイド画面において特定の項目を選択し、外部の装置と双方向に情報のやりとりをしてサービスの提供を受けるようなことも含む「双方向テレビ番組ガイドシステム」であるのに対し、引用発明では、そのような双方向テレビ番組ガイドシステムとはしていない点で相違する。
　
　また、本願発明でいう「データリソース」とは、本願の明細書の検索機能に係るリソースに関する記載（例えば、段落【０１１１】ないし【０１１３】等）等を参酌すると、データ（情報）の供給源、情報源であって、具体例では、ワールドワイドウェブ、電子商取引、電子メールメッセージ、テレビ番組等の情報源であり、また、上記検索機能は、本願の明細書の検索機能に関する記載（例えば、段落【０１１１】ないし【０１１３】等）等を参酌すると、複数のデータリソースに渡って検索する機能をいうものであることから、本願発明でいう「複数のデータリソースに関連付けられた機能」とは、複数のデータの供給源、情報源に関連付けられた検索機能でもあるといえるところ、
引用発明も、複数のメディアに渡ってシームレスに番組及び情報関連情報を検索し、これら複数メディアの関連情報を参照整理し、統合できるようなテレビジョン受信機１００における検索に係る方法であって、引用発明の複数のメディアは、電波を信号伝送媒体とする放送局１１、ケーブルを信号伝送媒体とする放送局１２、電話回線を信号伝送媒体とするＩＳＰ（インターネット・サービス・プロバイダ）１３，家庭内のバスを信号伝送媒体とするデジタルビデオディスク（ＤＶＤ）機器１４であり、これら放送局１１、放送局１２、ＩＳＰ１３、ＤＶＤ機器１４は、データ（情報）の供給源、情報源といえることから、引用発明のメディアは本願発明のデータリソースに対応するといえ、また、引用発明は、上記データの供給源、情報源である放送局１１、放送局１２、ＩＳＰ１３、ＤＶＤ機器１４（本願発明でいう「データリソース」）に渡って番組等を検索する機能を有するものであることから、「複数のデータリソースに関連付けられた機能」を提供するものといえる。
　
　そうすると、引用発明と本願発明とは、ともに、「テレビ番組ガイドシステムにおいて複数のデータリソースに関連付けられた機能を提供する方法」に係るものといえる。
　もっとも、テレビ番組ガイドシステムが、本願発明では、ユーザが、ユーザテレビ機器の表示ディバイスに表示された番組ガイド画面において特定の項目を選択し、外部の装置と双方向に情報のやりとりをしてサービスの提供を受けるようなことも含む「双方向テレビ番組ガイドシステム」であるのに対し、引用発明では、そのような双方向テレビ番組ガイドシステムとはしていない点で相違する。
　
（ロ）双方向テレビ番組ガイドは、少なくとも部分的にユーザテレビ機器上で実現され、少なくとも部分的に該ユーザテレビ機器上で実行する少なくとも一つの被サポートアプリケーションをサポートし、該複数のデータリソースは、ユーザによって選択され、
　
　引用発明は、ユーザがテレビジョン受信機のディスプレイに表示されたテレビ番組ガイドと対話をしながら、テレビ番組ガイド中の選択されたテレビ番組及び番組に関連する情報を表示させることから、前記テレビ番組ガイドは、少なくとも部分的にテレビジョン受信機（本願発明でいう「ユーザテレビ機器」）上で実現されているといえる。
　
　しかしながら、引用発明は、ユーザがテレビジョン受信機のディスプレイに表示されたテレビ番組ガイドと対話をしながら、テレビ番組ガイド中の選択されたテレビ番組を表示させたり、番組に関連する情報を検索して表示させるテレビ番組ガイドであるといえるものの、当該テレビ番組ガイドがテレビジョン受信機上で実行される他のアプリケーションで提供されるサービス機能を含むものではなく、また、引用発明は、上記番組に関連する情報を検索して表示させる際、データ（情報）の供給源、情報源である放送局１１、放送局１２、ＩＳＰ１３、ＤＶＤ機器１４をユーザが選択することは含んでいない。
　そうすると、本願発明では、双方向テレビ番組ガイドは、「少なくとも部分的に該ユーザテレビ機器上で実行する少なくとも一つの被サポートアプリケーションをサポートし」、複数のデータリソースに関連付けられた機能を提供する方法において、その機能である検索の際、「該複数のデータリソースは、ユーザによって選択され」るのに対し、引用発明では、テレビ番組ガイドは、少なくとも部分的に該ユーザテレビ機器上で実行する少なくとも一つの被サポートアプリケーションをサポートしているとはしておらず、また、検索の際、複数のデータリソースは、ユーザによって選択されるとはしていない点で相違する。
　
（ハ）双方向テレビ番組ガイドが、第一のメディア種類を有する第一のデータリソースおよび第二のメディア種類を有する第二のデータリソースに対して複数のデータリソースの検索を実行するための指示を受信することであって、該第一のメディア種類と該第二のメディア種類とは異なる
　
　本願発明でいう「第一のメディア種類を有する第一のデータリソースおよび第二のメディア種類を有する第二のデータリソース」とは、本願の明細書の検索（機能）に係るリソースに関する記載（例えば、段落【０１１１】ないし【０１１３】等）を参酌すると、検索の対象となるデータの供給源であるデータリソースが、（第一のデータリソース、第二のデータリソースの）複数あり、さらに、各データリソースのデータの伝達手段（伝達媒体）であるメディアが、（第一のメディア種類、第二のメディア種類の）複数であることをもいうものと認められるとともに、
本願発明では、これら（第一のメディア種類と第二のメディア種類の）複数のメディアの種類は異なるものであり、
また、本願発明では、これらのデータリソースに対して複数のデータリソースの検索を実行するための指示を受信しているところ、
　引用発明は、番組検索しようとする視聴者が、通常のＥＰＧ操作をしている時、画面上の連続ＥＰＧを選択するかあるいはリモコン上の連続ＥＰＧボタンを押すことにより、連続ＥＰＧの検索モードが開始され、番組評価部１０５内の検索手段は、前回までの番組検索で最も良く視聴していた番組のキーワードに関連付けられた番組関連情報をデフォルトとして画面上に表示し、そして、ユーザーはこの情報選択画面である連続ＥＰＧ初期画面上の候補より好みの「俳優Ｂ」を選択し、リモコン装置の決定ボタンを押すと、リモコン装置からテレビジョン受信機へ検索開始ボタンが押されたことを示す信号が送られ、検索手段が複数のメディアに対して“俳優Ｂ” をキーワードとして番組または情報を検索するものであり、ここでの複数のメディアは、上記（イ）のとおり、電波を信号伝送媒体とする放送局１１、ケーブルを信号伝送媒体とする放送局１２、電話回線を信号伝送媒体とするＩＳＰ（インターネット・サービス・プロバイダ）１３，家庭内のバスを信号伝送媒体とするデジタルビデオディスク（ＤＶＤ）機器１４であり、これら放送局１１、放送局１２、ＩＳＰ１３、ＤＶＤ機器１４は、データ（情報）の供給源といえ、本願発明の複数のデータリソースに対応するといえ、
また、上記の電波を信号伝送媒体とする放送局１１、ケーブルを信号伝送媒体とする放送局１２、電話回線を信号伝送媒体とするＩＳＰ（インターネット・サービス・プロバイダ）１３，家庭内のバスを信号伝送媒体とするデジタルビデオディスク（ＤＶＤ）機器１４からのデータの伝達手段（伝達媒体）であるメディアが、それぞれ異なる種類である電波、ケーブル、電話回線、家庭内のバスであると認められ、これらメディアは、本願発明のメディア種類が異なる（第一のメディア種類と第二のメディア種類の）複数のメディアに対応するものといえ、
さらに、引用発明は、ユーザーが、情報選択画面である連続ＥＰＧ初期画面上の候補より好みの「俳優Ｂ」を選択し、リモコン装置の決定ボタンを押すと、リモコン装置からテレビジョン受信機へ検索開始ボタンが押されたことを示す信号が送られ、検索手段が複数のメディアに対して“俳優Ｂ” をキーワードとして番組または情報を検索するものであり、前記ユーザーが、情報選択画面である連続ＥＰＧ初期画面上の候補より好みの「俳優Ｂ」を選択し、リモコン装置の決定ボタンを押すことが、検索を実行するための指示といえ、前記テレビジョン受信機は、当該指示を受信しているといえることから、
　本願発明と引用発明とは、ともに「テレビ番組ガイドが、メディア種類が異なる複数のデータリソースに対して複数のデータリソースの検索を実行するための指示を受信し」ているといえる。
　しかし、指示を受信して検索を実行する複数のデータリソースが、本願発明では、「第一のメディア種類を有する第一のデータリソースおよび第二のメディア種類を有する第二のデータリソース」であって、「第一のメディア種類と第二のメディア種類が異なる」のに対し、引用発明では、そのようなデータリソースとはしていない点で相違する。
　
（ニ）該双方向テレビ番組ガイドが、ユーザ検索基準を受信することと、該双方向テレビ番組ガイドが、該検索基準に従って該第一のデータリソースおよび該第二のデータリソースを検索することと、
　該双方向テレビ番組ガイドが、検索の結果を提供すること
　
　本願発明でいう「ユーザ検索基準」とは、本願の明細書の検索に関する記載（例えば、段落【００８２】、【０１１１】ないし【０１１３】等）等を参酌すると、キーワード（単数または複数）であり、本願発明では、当該キーワードに従って、複数の（第一、第二の）データリソースを検索し、検索の結果を提供しているところ、
引用発明でも、ユーザーが、情報選択画面である連続ＥＰＧ初期画面上の候補より好みの「俳優Ｂ」（本願発明でいう「ユーザ検索基準」）を選択し、リモコン装置の決定ボタンを押すと、リモコン装置からテレビジョン受信機へ検索開始ボタンが押されたことを示す信号が送られ、検索手段が複数のメディアに対して“俳優Ｂ” をキーワードとして番組または情報を検索し、キーワードに該当する番組情報を取得（ピックアップ、リストアップ）し、優先度の高い番組情報を提示するのであるから、
　本願発明と引用発明とは、ともに「テレビ番組ガイドが、ユーザ検索基準を受信することと、該テレビ番組ガイドが、該検索基準に従ってメディア種類が異なる複数のデータリソースを検索することと、テレビ番組ガイドが、検索の結果を提供する」といえる。
　もっとも、本願発明では、テレビ番組ガイドが「双方向テレビ番組ガイド」であり、指示を受信して検索を実行する複数のデータリソースが、「第一のメディア種類を有する第一のデータリソースおよび第二のメディア種類を有する第二のデータリソース」であって、「第一のメディア種類と第二のメディア種類が異なる」のに対し、引用発明では、テレビ番組ガイド、及び検索する複数のデータリソースが、それぞれそのようなものではない点で相違する。
　
　以上の対比結果によれば、本願発明と引用発明との一致点、相違点は次のとおりであると認めることができる。
［一致点］
　両者は、いずれも
「テレビ番組ガイドシステムにおいて複数のデータリソースに関連付けられた機能を提供する方法であって、テレビ番組ガイドは、少なくとも部分的にユーザテレビ機器上で実現され、
　該方法は、
　該テレビ番組ガイドが、メディア種類が異なる複数のデータリソースに対して複数のデータリソースの検索を実行するための指示を受信することと、
　該テレビ番組ガイドが、ユーザ検索基準を受信することと、
　該テレビ番組ガイドが、該検索基準に従って該メディア種類が異なる複数のデータリソースを検索することと、
　該テレビ番組ガイドが、検索の結果を提供することと
　を包含する、方法。」である点で一致する。
　
［相違点］
　相違点１
　テレビ番組ガイドシステム及びテレビ番組ガイドが、本願発明では、ユーザが、ユーザテレビ機器の表示ディバイスに表示された番組ガイド画面において特定の項目を選択し、外部の装置と双方向に情報のやりとりをしてサービスの提供を受けることも含む「双方向テレビ番組ガイドシステム」、「双方向テレビガイド」であるのに対し、引用発明では、そのような双方向テレビ番組ガイドシステム、双方向テレビ番組ガイドとはしていない点。
　
　相違点２
　本願発明では、双方向テレビ番組ガイドは「少なくとも部分的に該ユーザテレビ機器上で実行する少なくとも一つの被サポートアプリケーションをサポートし」ているのに対し、引用発明では、テレビ番組ガイドは「少なくとも部分的に該ユーザテレビ機器上で実行する少なくとも一つの被サポートアプリケーションをサポートし」ているとはしていない点。
　
　相違点３
　本願発明では、複数のデータリソースに関連付けられた機能を提供する方法において、その機能である検索の際、「複数のデータリソースは、ユーザによって選択され」るのに対し、引用発明では、複数のデータリソースは、ユーザによって選択されるとはしていない点。
　
　相違点４
　指示を受信して検索を実行する複数のデータリソースが、本願発明では、「第一のメディア種類を有する第一のデータリソースおよび第二のメディア種類を有する第二のデータリソース」であって、「第一のメディア種類と第二のメディア種類が異なる」のに対し、引用発明では、そのようなデータリソースとはしていない点。
　
４．判断
　そこで上記各相違点について検討する。
　相違点１及び相違点２について
　引用発明は、上記のとおり、ユーザがテレビジョン受信機のディスプレイに表示されたテレビ番組ガイドと対話をしながら、テレビ番組ガイド中の選択されたテレビ番組及び番組に関連する情報を表示させるテレビ番組ガイドに係るものであるところ、引用発明のようなテレビ番組ガイドにおいて、ユーザがテレビジョン受信機のディスプレイ（表示ディバイス）に表示された番組ガイド画面において特定の項目を選択し、外部の装置と双方向に情報のやりとりをしてサービスの提供を受けることは、特表平１１−５０１４８１号公報（６４頁１５行ないし６８頁１６行、図４３Ａないし図４３Ｅ等参照）、特表平１１−５０５０９４号公報（３６頁下から２行ないし３７頁下から８行、６６頁５行ないし７０頁３行）、国際公開９９／４５６１号（１０頁１５行ないし３４行）、国際公開９６／４１４７７号（２８頁下から２行ないし３０頁１５行）等で開示されるように周知な事項であり、そうすると、外部の装置であるインターネット・サービス・プロバイダ１３等に接続されている引用発明のテレビ番組ガイドシステムにおいて、ユーザに対してより広範囲のサービスを提供するために、前記周知の事項を適用して、ユーザがテレビジョン受信機のディスプレイ（表示ディバイス）に表示された番組ガイド画面において特定の項目を選択し、外部の装置と双方向に情報のやりとりをしてサービスの提供を受けるようにすること、すなわち、双方向テレビ番組ガイドシステムとすることは、当業者が容易に想到し得たものと認められる。
　また、引用発明に前記周知の事項を適用して、ユーザがテレビジョン受信機のディスプレイ（表示ディバイス）に表示された番組ガイド画面において特定の項目を選択し、外部の装置と双方向に情報のやりとりをしてサービスの提供を受けるようにするには、テレビジョン受信機１００は、テレビ番組ガイドに加えて、テレビジョン受信機１００上で実行する、例えば、ブラウザ（インターネット・エクスプローラ等）等のアプリケーションを追加して備える必要があることは明らかであり、また、あるアプリケーションの機能を他のアプリケーション（被サポートアプリケーション）が利用することは普通に行われていることであることから、上記のようにテレビジョン受信機において、テレビ番組ガイドに加えて、テレビジョン受信機１００上で実行する、ブラウザ等のアプリケーションを追加して備えるに際して、当該アプリケーションをテレビ番組ガイドの機能を利用するように、すなわち、テレビ番組ガイドがサポートする被サポートアプリケーションとして備えるようにすることも当業者であれば、何ら困難性なくなし得たものと認められる。
　
　相違点３及び相違点４について（下線は合議体が付したものである。）
　相違点３、４に係る本願発明の構成は、テレビ番組ガイドが、メディア種類が異なる複数のデータリソースに対して複数のデータリソースの検索を実行するに際して、メディア種類が異なる複数のデータリソースは、ユーザによって選択され、メディア種類が異なる「第一のメディア種類を有する第一のデータリソースおよび第二のメディア種類を有する第二のデータリソース」に対して複数のデータリソースの検索を実行するようにしたものであるところ、
引用例１には、検索の結果として、過去のユーザーの操作情報から割り出した最も好ましい番組を画面に表示すると同時に、ＣＲＴの画面にはメディアについてのガイド画面として検索優先度の高いメディアの順に番号を付し、また、検索中のメディアの番号は丸で囲まれるようにし、さらに、
検索対象外のメディアについては例えば色違いとされて表示をさせる
好みに応じて任意に
ある放送局やメディアに限って、検索、表示させることも可能である
　
　また、本願発明の効果についてみても、上記各構成の採用に伴って当業者が当然に予測し得る程度のものにすぎず、格別顕著なものがあるとはいえない。
　
　したがって、本願発明は、引用例１に記載された発明及び周知の事項に基づいて、当業者が容易に発明をすることができたものである。
　
５．むすび
　以上のとおり、請求項７に係る本願発明は、引用例１に載された発明及び周知の事項に基づいて当業者が容易に発明をすることができたものであるから、特許法第２９条第２項の規定により特許を受けることができない。
　したがって、本願は他の請求項に係る発明について特に検討するまでもなく拒絶されるべきものである。
　よって、結論のとおり審決する。